(57)【要約】  本発明は、携帯電子装置（４０）のためのベルトタイプの締め付けバンドあるいはリストバンドあるいはブレスレットに関する。この締め付けバンドは、締め付けと長さを調整する手段（５）を有する。締め付けバンドは、前記バンドに加えられた引張り力の値が、所定値に等しくなった時に、ユーザが識別可能な目視構造を採る、締め付け引張り力を示す締め付け引張り力指示要素（６、４２）を有する。本発明の締め付けバンドは、測定機器（時計）の装着者の生理的データを測定する場合、特にその測定が光学手段により行われるパルスメータに使用される場合、利点がある。このような場合、上記の特徴により、時計の装着者は、リストバンドの締め付け引張り力を適正に調節して、高精度の測定が、腕への圧迫力を感じること無しに、可能になる。
2008521533.tif 000002
【特許請求の範囲】
【請求項１】
（Ａ）  ケースと、
（Ｂ）  携帯電子装置（４０）を装着するリストバンドの機能を実行する締め付けバンド（１）と
を有し、
前記締め付けバンド（１）は、第１と第２の自由端（３、４）と、前記締め付けバンド（１）を締め付けその長さを調整する手段（５）とを有し、
前記締め付けバンド（１）は、前記バンドに加えられた引張り力の値が、所定値に等しくなった時に、ユーザが識別可能な目視構造を採る、締め付け引張り力を示す締め付け引張り力指示要素（６、４２）を有し、
前記締め付け引張り力指示要素（６、４２）は、弾性的に変形可能な部品（８、４８）を有し、
前記変形可能な部品（８、４８）は、前記締め付け引張り力指示要素（６、４２）の第１剛性端（２０、４３）と第２剛性端（２１、４４）により形成される
ことを特徴とする携帯用機器。
【請求項２】
前記締め付けバンド（１）は、メイン部分（２）を有し、
前記締め付け引張り力指示要素は、リンク（６、４２）であり、
前記リンクの剛性端（２０、２１、４４）は、前記メイン部分（２）の取り付け手段（２４）と共働する取り付け手段（２２）を有する
ことを特徴とする請求項１に記載の携帯用機器。
【請求項３】
前記変形可能部品（４８）は、孔（４９）を有し、
前記孔（４９）の形状は、前記締め付けバンド（１）に加わる引張り力の値に応じて変わる
ことを特徴とする請求項１あるいは２に記載の携帯用機器。
【請求項４】
前記締め付けバンド（１）に加わる引張り力の値が所定値に等しい時に、前記孔（４９）は、円形又は菱形の形状をし、または銘刻を規定する
ことを特徴とする請求項３に記載の携帯用機器。
【請求項５】
前記締め付け引張り力指示要素（４２）は、前記端部の１つ端部（２０）に固定される基準手段（２６）を有し、前記孔の反対側に配置された少なくとも１つのデザインを具備し、前記バンドにかかる引張り力の値が所定値に等しい時に、前記孔と同一形状を有する
ことを特徴とする請求項３あるいは４に記載の携帯用機器。
【請求項６】
前記変形可能部品（４８）は、前記締め付けバンド（１）にかかる引張り力の値に応じて、その形状を変える
ことを特徴とする請求項１あるいは２に記載の携帯用機器。
【請求項７】
前記バンドにかかる引張り力の値が、所定値に等しい時に、前記形状は、円形又は菱形の形状をする、あるいは銘刻を規定する
ことを特徴とする請求項６に記載の携帯用機器。
【請求項８】
前記変形可能部品（８）は、孔（１０）を有し、
前記孔（１０）の前記剛性端の端部（２０）に対する位置は、前記締め付けバンド（１）の締め付け引張り力に依存し、
前記締め付け引張り力指示要素（６）は、前記端部（２０）から離間して基準手段（２６、２７、３０）を有し、
前記基準手段は、前記バンドにかかる引張り力が所定値に等しい時に、所定の外観を有する
ことを特徴とする請求項１あるいは２に記載の携帯用機器。
【請求項９】
前記基準手段は、異なる色の２つの部分（２７、３０）を有し、
前記２つの部分は、前記バンドの長手方向に沿って、延長部に配置される
ことを特徴とする請求項８に記載の携帯用機器。
【請求項１０】
前記基準手段は、軸方向ステム（５０）により形成され、
前記軸方向ステム（５０）は、剛性端（４３）に固定され、
前記軸方向ステム（５０）は、第１の色または素材の第１セクション（５８）と、第２の色または素材の第２セクション（６０）とを有し、
前記第２セクション（６０）は、前記固定端（４３）の反対側に配置され、
前記第２セクション（６０）は、前記バンドに加わる引張り力の値が、所定値未満のときには、バンドの一部の下に隠され、
前記第２セクション（６０）は、バンドにかかる力が所定値に等しい時には、前記孔（５２）内に見える
ことを特徴とする請求項９に記載の携帯用機器。
【請求項１１】
前記軸方向ステム（５０）は、第２セクション（６０）とは異なる色または素材の第３セクション（６２）を有し、
前記第３セクション（６２）は、第１セクション（５８）の反対側から伸び、
前記第３セクション（６２）は、前記バンドに加わる引張り力の値が、所定値未満のときには、バンドの一部の下に隠され、
前記第２セクション（６０）は、バンドにかかる力がバンドの過剰な引っ張り力に対応する所定値以上の時に、前記孔（５２）内に見える
ことを特徴とする請求項１０に記載の携帯用機器。
【請求項１２】
前記バンドを固定し長さを調整する手段は、前記長さを連続的に調整できる手段を有する
ことを特徴とする請求項１−１１のいずれかに記載の携帯用機器。
【請求項１３】
前記バンドの第１自由端は、前記ケースの第１側の第１の適宜の手段と共働する手段を有し、
前記バンドの第２自由端は、前記締め付け長さを調節する手段と共働し、
前記長さを調節する手段は、前記ケースの第２側の第２の適宜の手段と共働する手段を有する
ことを特徴とする請求項１−１２のいずれかに記載の携帯用機器。
【請求項１４】
前記バンドは、リンク（４２）の形態の締め付け引張り力指示要素を有し、
前記リンク（４２）の第１剛性端（４３）は、前記ケースの適宜の手段（４５、４６、４７）と共働する取り付け手段を具備する
ことを特徴とする請求項１２に記載の携帯用機器。
【請求項１５】
前記バンドは、前記ケースの両側に配置された少なくとも２本のストラップを有し、
各ストラップは、前記自由端の１つを具備し、
前記２本のストラップの少なくとも一方は、前記バンドの締め付け引張り力を指示する指示要素（４２）を有する
ことを特徴とする請求項１−１０のいずれかに記載の携帯用機器。
【請求項１６】
前記自由端は、前記バンドの締め付け長さを調節する手段に接続され、
前記少なくともバンドの締め付け引張り力指示要素（４２）は、前記自由端の一方と前記ケース（４１）との間に配置される
ことを特徴とする請求項１５に記載の携帯用機器。
【請求項１７】
前記バンド締め付け引張り力指示要素（４２）は、直接ケース（４１）に取り付けられる
ことを特徴とする請求項１６に記載の携帯用機器。
【請求項１８】
第２のバンド締め付け引張り力指示要素（４２）が、直接ケース（４１）に取り付けられる
ことを特徴とする請求項１７に記載の携帯用機器。
【請求項１９】
前記バンドは、リンク（４２）の形態の締め付け引張り力指示要素を有し、
前記リンク（４２）の第１剛性端（４３）は、前記ケースの適宜の手段（４５、４６、４７）と共働する取り付け手段を具備し、
前記軸方向ステム（５０）は、ケース（４１）の適宜の手段（４５、４６、４７）と共働してケース（４１）に固定される
ことを特徴とする請求項１０あるいは１１に記載の携帯用機器。
【請求項２０】
携帯機器の装着者の生理学的データを測定する測定手段をさらに有し、
前記測定手段は、前記ケース（４１）内に一体に形成される
ことを特徴とする請求項１３−１９のいずれかに記載の携帯用機器。
【請求項２１】
前記携帯機器は、パルスメータ機能の光学測定手段を有し、
この測定手段は、携帯機器の使用者の腕にあてて配置される前記ケースの一面に配置される
ことを特徴とする請求項２０に記載の携帯用機器。
【発明の詳細な説明】
【技術分野】
【０００１】
本発明は、第１自由端と、第２自由端と、バンドの長さを調整し留める（締め付ける）手段とを有する締め付けバンドに関する。
【０００２】
一般的に、この種のバンドは、目的物を固定する（締め付ける）保持ストラップの形態、あるいは、例えばベルトの形態で実現される。
【０００３】
本発明は、例えば時計のような携帯機器をユーザの腕に装着するストラップあるいはブレスレットとして実現されるバンドに関する。
【背景技術】
【０００４】
携帯機器（例えば時計）のブレスレットあるいはストラップは、従来公知である。
【０００５】
多機能の時計を使用する場合、例えば時計ケースのバックカバーに配置されたセンサを用いるパルスメータは、装着者の腕に密接に接触しなければならず、また測定が行われている間、バンドを適正に締め付けていることが必要である。このような締め付けは、パルスメータ操作の間保持しなければならない。このような装置は、さまざまな操作を実行するために、測定が中断した結果、例えばある時間に測定されたパルス値から平均値の計算が誤ってはならず、表示された値がある時間に行われた行為を実際に表すようにしなければならない。
【０００６】
装着者の腕へのバンドの締め付けは、良好なパルス測定状態を維持する為に、正確に調整しなければならない。これは、測定が困難な状態（例えばリストバンドが大きな衝撃あるいは振動にさらされるようなランニングの間）でも、維持されなければならない。
【０００７】
特許文献１は、上記の問題を解決するリストバンドを含むパルスメータを提供する。このバンドは、その周囲に柔軟性のある可変領域を有する。一例として、特許文献１は、リストバンドが２個の剛性メイン部分とこの剛性部分に取り付けられる２個のリンクとを有する。このリンクは、剛性部分よりも高い弾力性（伸縮性）を有する。
【０００８】
【特許文献１】米国特許第６，５２９，７５４号明細書
【特許文献２】欧州特許出願第１５８８６４０号明細書
【０００９】
この高い弾力性のリンクが追加されたため、ケースは、ユーザの腕に押し当てられた状態に、大きな腕の動きの間（特に回転運動の間）でも押しつけられた状態に、維持される。
【００１０】
この従来の解決方法は、ケースが装着者の腕に適正に押し付けられ、測定が正確に行われるようにするために、リストバンドが、腕に十分にきっちりと締め付けられているか否かを、パルスメータの装着者に示す手段を具備していない。特許文献１によれば、パルスメータの装着者は、大きな圧迫（圧縮）力を感じずに、従来の時計を装着したときと同様の圧迫力を感じるように、自分のリストバンドを締め付けねばならない。
【発明の開示】
【発明が解決しようとする課題】
【００１１】
本発明の目的は、上記の従来技術の欠点を解決することである。本発明は、ユーザにバンドの締め付け引張り力に関連するデータを提供する締め付けバンド、特に締め付け引張り力が対応する所定の使用条件に適った時点を、直感的且つ見やすい方法で示す締め付けバンドを提供することである。
【課題を解決するための手段】
【００１２】
かくして、本発明は、前記の締め付けバンドに関し、この締め付けバンドは、前記バンドに加えられた引張り力の値が、所定値に等しくなった時に、ユーザが識別可能な目視構造を採る、締め付け引張り力を示す締め付け引張り力指示要素を有し、前記締め付け引張り力指示要素は、弾性的に変形可能な部品を有し、前記変形可能な部品は、前記締め付け引張り力指示要素の第１剛性端と第２剛性端により形成される。
【００１３】
好ましくは、本発明の締め付けバンドは、メイン部分を有し、前記締め付け引張り力指示要素は、リンクであり、前記リンクの剛性端は、前記メイン部分の取り付け手段を有する。好ましくは、リンクの変形可能部分は、少なくとも１個の孔を有する。この孔は、バンドの締め付け引張り力に応じて移動可能あるいは変形可能である。これにより締め付け引張り力が十分な値に達したときには、そこに印又はデザインが現れる。別の構成として、孔は静止時（力がかかっていない状態）に第１形状を採り、締め付け引張り力が増加すると変形して、締め付け引張り力が所定の値以上になった時に、所定の第２形状を採る。
【００１４】
本発明の好ましい実施例によれば、バンドの締め付けと長さ調節手段は、長さを連続的に調節する手段を含む。
【００１５】
これらの特徴により、本発明のバンドは、例えばホールド・ストラップの形態で実現される。脆いあるいは変形しやすい対象物を固定する場合には、その締め付け引張り力を正確に調整して対象物を損傷することなく、適正の保持できるようになる。
【００１６】
本発明の応用例によれば、バンドはリストバンドの形態で実現され、多機能の時計をユーザの腕に装着することができる。前記の特徴を備えたリストバンドは、それが時計に適用された場合、特に測定機器（時計）の装着者の生理的データを測定する場合、特にその測定が光学手段により行われるパルスメータに使用される場合、利点がある。このような場合、上記の特徴により、時計の装着者は、リストバンドの締め付け引張り力を適正に調節して、高精度の測定が、腕への圧迫力を感じること無しに、可能になる。
【実施例】
【００１７】
図１、２ａ、２ｂは、本発明の第１実施例の締め付けバンドを示す。
【００１８】
図１は、それ自身の上に締め付けた状態の締め付けバンド1を示す。締め付けバンド1は、メイン部分２を有する。このメイン部分２は、自由端部３、４を有する。自由端部３、４は、バンドを締め付け（留め）その長さを調節する手段により、互いに接続される。
【００１９】
バンドを締め付けその長さを調節する手段は、従来公知のいくつかの方法で実現できる。好ましい長さ調節手段は、バックル５であり、このバックル５を締め付けバンド1の端部３に縫い付けて固定する。第２の端部４がバックル５を貫通し、それ自身の上に折り返される。これにより、主部材に第２端を確実に固定する。即ち、締め付けバンド1をこの場所に固定する。一例として、図１にはフックとループで係合するシステムを示している。これは、ベルクロ（Velcro）の商品名で市販されており、バンドの端部４の上とメイン部分２のそれに重なる部分に、それぞれフックとループを配置している。
【００２０】
当業者は、本発明を実現するのに適した公知の締め付けシステムを容易に採用できる。しかし、締め付けバンド1を留めその長さを調節する手段については、特にバンドの長さを連続的に調節できる手段が本発明を実現するのに好ましい。この種の別のタイプのベルトを止めて長さを調整するシステム、すなわち飛行機のシートベルトで使用される種類の留め金バックルは、バンドの第１端に固定され、バンドの第２自由端を圧縮によりロックするシステムである。本発明は、バンドを留めその長さ調節が連続的に行われない場合でも、従来公知の装置に対して利点がある。
【００２１】
締め付けバンド1のメイン部分２は、フレキシブルで且つ若干弾力性（伸縮性）のある材料から形成することができる。例えば、レザー（革）、変形しない天然あるいは人造の繊維、低弾力性のプラスチック材料（例えばポリウレタン等）である。
【００２２】
締め付けバンド1は、メイン部分２よりも短い追加部分６を有する。追加部分６を締め付けバンド1の周囲に沿って配置することは、一般的に重要ではないが、ある種の応用では重要となることがある。図１に示した実施例に場合には、追加部分６は、締め付けバンド1の端部３から離れた場所にある。
【００２３】
追加部分６を締め付けバンド1のメイン部分２の周囲に一体に組み込む結合手段は、図２ａ、２ｂに示し、以下説明する。
【００２４】
選択的事項として、装飾要素７が、追加部分６をメイン部分２に接続する手段を隠す。この装飾要素７は、適宜の材料、例えば従来のプラスチック材料から形成され、締め付けバンド1の製造業者のトレードマークを取り付けるために使用される。
【００２５】
追加部分６は、バンドの締め付け引張り力を示す機能を実行し、このため、中央部分８を有する。中央部分８は、大きな弾力性（伸縮性）、特に締め付けバンド1の長さ方向に沿って大きな伸縮性がある。中央部分８は、締め付けバンド1の長さ方向に沿った変形を促す特定の形状、すなわち側面凹部９を有する。
【００２６】
中央部分８は、その中心に孔１０を具備する。その機能を図２ａ、２ｂを参照して以下説明する。本発明の一実施例として、孔１０は、静止状態（力のかかっていない状態）では図1に示すように円形をしており、そこから所定の材質の表面１１例えば所定の色が見える。
【００２７】
図２ａは、図１の構成の締め付けバンド１の詳細断面図である。この断面は、中央部分で且つその長さ方向に沿って、締め付けバンド１と交差する面で切ったものである。
【００２８】
本発明の一実施例によれば、追加部分６は、伸縮性のある中央部分８の両側に剛性端部２０、２１を有する。各剛性端部２０、２１は、溝２２を有する。この溝２２は、矩形（図３）であり、メイン部分２を取り付ける手段と共働する。追加部分６に取り付けられたメイン部分２の各部分は、２つの端部２３に分割される。この端部２３は、バンドの中央面に対して対称形状をしており、それぞれ小さなフレーム２４を有する。このフレーム２４は、剛性プラスチック製あるいは金属製で、対応する端部２３内に縫いこまれる。フレーム２４の形状と寸法は、それが追加部分６の対応する剛性端部２０、２１の溝２２内に挿入できるよう選択される。好ましくは、追加部分６の各剛性端部２０、２１には、２個の対称形状の端部２３が、少なくともその側に、対応する剛性端部２０、２１を貫通して縫い付けられ、その結果、各フレーム２４が、溝２２内に確実に保持される。この構造により、締め付けバンド１のメイン部分２と追加部分６の間の有効且つ信頼性のある接続が可能となる。この接続手段は、剛性端部２０、２１の剛性を強化する。
【００２９】
装飾要素７は、メイン部分２と追加部分６の接続手段、すなわちフレーム２４とバンドの外側（即ち使用中に見る側）の縫いつけ部分をカバーする。
【００３０】
図示する本発明の一実施例によれば、追加部分６は中央孔２５を有する。この中央孔２５は、平行なパイプ形状をし、相補（相手に合った）形状のプレート２６を収納する。プレート２６は、好ましくは剛性材料製で追加部分６内に、オーバー・モールドにより配置される。プレート２６の第１側２７は、剛性端部２０に固定される。この固定は、縫い目２８の１つの部分で、対称形状の対応端部２３を互いに固定し、２つの対象形状の対応端部２３とプレート２６を脚部２９が貫通することにより行われる。本発明は、上記したようにプレート２６の第１側２７を固定する手段に限定されるものではなく、互いに独立して実現可能であり、あるいは別の構成として、プレートの第１側２７を追加部分６の剛性端部２０に従来方法で固定してもよい。
【００３１】
図２ａ、２ｂに、２つの連続する領域２７，３０が、バンドの長手軸方向のプレートに示されている。第１領域２７は、第一側に対応する。第２領域３０は、この第１領域２７の端部から剛性端部２１の側に配置されるプレートの端部方向に伸びる。第１領域は、表面１１を有し、この表面１１は、中央部分８の孔１０を通して見える。好ましくは、２つの領域２７、３０は、識別可能なように異なる色である。例えば、領域２７、３０は、それぞれ、赤と緑で着色される。
【００３２】
図２ａに示す状態では、第２領域３０は、孔１０を通して見ることはできない。孔１０は、その静止状態では長手方向のＬ１の長さを有する。このバンドの構造では、ユーザは孔１０を通して赤い円（領域２７の色）を見る。
【００３３】
目的物を掴むために、締め付けバンド１が図２に示すように、ピンと張った状態においては、追加部分６は引張り力が増え、中央部分８が変形する。中央部分８の変形により、孔１０の変形、特に縫い付け部の変形が起こり、孔１０は締め付けバンド１の長さ方向で、Ｌ１より長いＬ２の長さを有するようになる。
【００３４】
図２ｂから明らかなように、この変形に加え、孔１０は、中央部分８のさらなる変形に追従するよう動き、特にプレート２６の第２領域３０の一部が見えるようになるまで動く。追加部分６は、前述した構造を有するために、プレート２６は、締め付けバンド１の締め付け引張り力に応答して、動きも又は変形もしない。好ましくは、ユーザは、最初の赤色に次いで、この段階で緑色が表れるのを見る。これは、使用者に、バンドの締め付け引張り力が十分な値となり、締め付けバンド１の現在の使用の範囲内で十分な値に到達したことを知らしめる。
【００３５】
従って、締め付けバンド１の所定のアプリケーションに対しては、使用者は、それがピンと張られた時に、バンドが持つべき最適の締め付け引張り力を知ることができる。この引張り力が、孔１０の必要な変形を与え、プレート２６の第２領域３０（緑色）が見えるようになり、ユーザに引張り力が十分であることを知らしめる。かくしてこれらの特徴により、バンドが壊れやすい対象物を保持するために使用された時には、この対象物を破損することなく、把持するのに十分且つ必要な引張り力をユーザに示すよう製造工程で調整される。
【００３６】
本発明による締め付け引張り力は、上記した色が変わる構成／方法の使用に限定されない。異なる色が現れることあるいは広い意味で素材の変化も可能である。基本的原理は、少なくとも必要とされる引張り力の値が得られた時を、ユーザが識別できる外観を得ることである。
【００３７】
図３は、本発明がリストバンドで、腕時計である携帯電子装置４０が腕に取り付けられたときの本発明の実施例を示す。本発明によるバンドは、その構造の詳細が明らかになるよう、必要な部分のみを示す。
【００３８】
バンドのメイン部分（図示せず）は、２つの類似するストラップ（ひも）に分割され、その間に携帯電子装置４０のケース４１が配置される。
【００３９】
本発明の一実施例によれば、この携帯用電子機器はパルスメータである。このパルスメータは、装着者の脈拍を測定する手段と、この測定値を処理しその結果を表示する表示手段を制御する電子回路とを有する。このような電子回路は、当業者に公知であるので本発明に直接関係しない限り、詳述しない。一例として特許文献１を参照することにより、装着者の心拍数を測定する機能、特に光学型の測定手段を使用して測定する機能を有する電子回路を実現することができる。
【００４０】
バンドを締め付け長さを調節する手段は、図１の記載と類似の方法で実現できる限り、図３には示していない。別の構成として、バックル／舌型で孔と共働するタイプで、特許文献２に開示したリストバンドの長さを調節する装置と組み合わせるリストバンド締め付け装置で実現することもできる。当業者は、ここに開示したバンドを実現するのに適した他の公知の締め付け調整システムを実施できるが、これも本発明の範囲内に入る。
【００４１】
図３は、本発明の変形例を示す。この変形例によれば、バンドは、２個の同一の指示要素４２を有する。この指示要素４２は、バンドの締め付け引張り力を示し、ケース４１の両側に配置される。
【００４２】
これらの指示要素４２は、それぞれ２個の剛性端４３、４４を有する。剛性端４３は、ケース４１に取り付けられる。このために、ケース４１は４個の突起部４５を有する。その突起部４５を孔４６が貫通する。剛性端４３は、突起部４５の間に適合するような相補的形状を有する。剛性端４３は、貫通孔（図示せず）を有する。この貫通孔は、孔４６と整合する。ピン４７が、突起部４５と剛性端４３を結合する。
【００４３】
剛性端４３とは反対側にある剛性端４４は、図２ａで説明した剛性端部２１と類似する。剛性端４４は、溝２２を有する。この溝２２は、矩形形状をし、対応するリストバンド・ストランド（図示せず）に結合される剛性フレームを収納する。このストランドは、それを支持要素あるいはリンク４２に固定するために、縫い付けられる。
【００４４】
指示要素４２の中央部分４８は、弾性変形することができる。それは、中央部分４８の伸縮（柔軟）性は、剛性端４３、４４のそれよりも大きいからである。中央部分４８の伸縮性は、特にその独特な構造に起因する。中央部分４８は、側面に凹部９を有する。この側面凹部９は、図１に記載したのと同一であるが、２つの剛性端部の間で受ける引張り力の増加に応答して、指示要素４２の軸方向変形を容易にする。
【００４５】
さらに、中央部分４８は、複数の楕円形状の貫通孔４９を有する。リストバンドにかかる引張り力が増加すると、指示要素４２の中央部分４８は変形し、貫通孔４９が変形する。
【００４６】
パラメータ例えば貫通孔４９の正確な形状と中央部分４８の伸縮特性に応じて、当業者は、ユーザにより識別可能なあらゆる種類の外観を形成することができ、リストバンドの所定の締め付け引張り力を得ることができる。
【００４７】
特に、図３に示す貫通孔４９に基づいて、指示要素４２の特性は、所定の締め付け引張り力を得るために、貫通孔４９は、円形あるいは菱形を有するよう、変形できる。
【００４８】
指示要素４２の材料と形状の選択は、締め付け引張り力が関連するアプリケーションに対し最適値に対応した時に、ユーザが識別できる所定の外観を有するように行われる。
【００４９】
別の構成として、貫通孔４９に類似した１個あるいは複数個の孔を有し、この孔が、バンドの締め付け引張り力が増加した時に変形し、締め付け引張り力が所望の値に等しくなった時に、マークが形成できるような構成も提供できる。
【００５０】
この方法は、バンドあるいは装置の製造業者が自分の商標を製品に取り付けることができるようになる利点がある。
【００５１】
図３に示す装置は、本発明のバンドの好ましいアプリケーションに対応する。上記のリストバンドは、パルスメータの機能を有し心拍数の測定が光学型測定手段で行われる装置に取り付けられる場合に、特に有用である。この測定手段は、光ビームの送信器と受信器とを有する。受信器は、送信器から放射された光ビームが装着者の体内を伝搬して戻ってきた光ビームの少なくとも一部を受信する。従って測定結果は、装置の外側の光源特に周囲光に、影響される。これが、携帯機器のケースを装着者の皮膚に適正に押し当てることが重要な理由であ。バンドの締め付け引張り力は、周囲光が測定値に影響を及ぼさないような最小値を有さなくてはならない。かくして、図３に示したリストバンドは、装着者が動いた時でも、ケースに直接取り付けられた指示要素４２の伸縮性（弾力性）に起因して、装着者の腕に適正にケースを押し当てることができる。締め付け引張り力が測定の高い信頼性を確保するのに十分となった時を、装着者に示す。この後者の特徴により、装着者は、装置の気持ち良さが影響されない程度まで、グリップの引張り力を正確に調節することができるようになる。
【００５２】
本発明の一変形例によれば、上記の２つの実施例のバンド締め付け引張り指示装置を組み合わせることも可能である。図３の締め付け引張り指示要素は、図２ａの中央孔２５に類似する孔を有し、プレート２６に類似するプレートを収納し、このプレートがケースの基準フレームとして機能する。このプレートは、貫通孔４９が所望のバンド締め付け引張り値に応答して変形した時に、その表面１１上に貫通孔４９の位置と形状に対応して現れるデザインあるいはマークを有する。この変形例により、時計の装着者は、貫通孔４９が所望の形状に達した状態を、図３の実施例よりもより簡単に確認でき、図３の実施例よりもよりコンパクトな構造となる。
【００５３】
本発明のさらなる変形例によれば、貫通孔４９を省くことも可能である。これは、中央部分４８の見える面上に描かれたデザインで、貫通孔４９を置換することにより行われる。このデザインは、伸縮性のある中央部材の表面に、適宜の方法でプリントされる。このようなデザインを行うために、伸縮性中央部材の機械的特性を合わせ、中央部品に力がかからない時の形状から、バンド締め付け引張り力が所定の値に達した時に、ユーザにより認識される所定のパターンを有するように変化させる。上記と類似の方法で、デザインは、例えば円形、菱形あるいは所定の識別可能な刻印を形成して、描かれる。
【００５４】
本発明の変形例として、デザインは、伸縮性中央部材に取り付けられた追加的支持要素により具備される。例えば、中央伸縮性部材の上にモールドされ複製された薄いシリコンウェハで形成することもできる。あるいはその逆でもよい。
【００５５】
本発明の第３実施例（図４−６）では、締め付け引張り指示要素４２が、ケース４１に固定される締め付けバンド１の端部に配置される。これは、図３の携帯電子装置４０と同様である。指示要素４２の構造は、図１と同一のタイプであり、このプレートは、軸方向ステム５０で置換される。この軸方向ステム５０は、指示要素４２の厚み方向に伸びて、指示要素４２の貫通孔４９に配置された表示孔５２を介して、部分的に見ることができる。
【００５６】
第３実施例を説明するのに際し、同一の要素あるいは同一の機能を有する要素は、同一の参照番号を付す。
【００５７】
第３実施例によれば、軸方向ステム５０は、引張り把持力を示す基準要素を形成するが、ケース４１に指示要素４２の対応する剛性端４３により固定される。剛性端４３をケース４１に固定する方法は、図３の実施例と同一である。固定するために、軸方向ステム５０は、固定端５４に、ピン４７の貫通用に横方向孔５６を有する。その結果、軸方向ステム５０は、ケース４１上に剛性端４３と、ピン４７で保持される。
【００５８】
表示孔５２は、軸方向ステム５０の直径に等しい幅を有する細長いスロットの形状を有する。これにより、指示要素４２に力がかからない形状（静止位置）において、軸方向ステム５０の第１セクション５８が現れる。この第１セクション５８は、所定の色あるいは素材の中間部分と称する。固定端５４の反対側に、軸方向ステム５０は、第２セクション６０と第３セクション６２とを有する。第２セクション６０は、第１セクション５８に隣接して配置され、第１セクション５８とは異なる色または素材を有する。第３セクション６２は、第２セクション６０に隣接して配置され、第２セクション６０とは異なる色または素材を有する。
【００５９】
指示要素４２の静止位置において、第２セクション６０と第３セクション６２は、表示孔５２内に見ることはできない。それは、それらは指示要素４２の剛性端４４内に形成された相補的な円筒状ボア６４内に収納されるからである。それらは締め付けバンド１の一部の下に隠される。
【００６０】
前述した実施例と同様に、指示要素４２の中央部分４８は、弾力性的に変形することができる。それは、この中央部分４８の弾力性（伸縮性）は、剛性端４３、４４のそれよりも大きいからである。かくして、中央部分４８は、ここでは波打ってサイン形状のプロフィールを与え、これにより制御された伸縮性を与え、剛性端４３、４４の間で受ける引張り力の増加に応答して、指示要素４２の長手方向の変形が容易となる。
【００６１】
締め付けバンド１にかかる引張り力が所定の値よりも小さい場合には、中間部分である第１セクション５８のみが表示孔５２内に見え（図４、６）、その結果、ユーザは、締め付けバンド１が時計の意図したアプリケーション用に十分に引っ張られていないことを知ることになる。
【００６２】
締め付けバンド１にかかる引張り力が所定値を超えた時には、第２セクション６０は、一例として緑色ではあるが、表示孔５２内に現れる（図５）。この結果、ユーザは、リストバンド１が現在のアプリケーション用に十分に引っ張られていることを知ることになる。
【００６３】
第３セクション６２が、締め付けバンド１にかかる引張り力がリストバンドの過剰引張り力に対応する別の所定値以上となった時に、一例として赤色であるが、現れるようにすることもできる。この実施例は、リストバンドがきつ過ぎるときには、ユーザに警告し、ユーザが怪我をしたり、ユーザが締め付けバンド１を損傷したりあるいは締め付けバンド１の過剰な損傷を防止する。
【００６４】
好ましくは、軸方向ステム５０は、十分に柔軟性があり、締め付けバンド１が装着されたと時には、指示要素４２の湾曲部沿うことができるようなる。
【００６５】
ここに示した実施例によれば、指示要素４２は、対応する締め付けバンド１と一体にプラスチック材料でモールド形成される。指示要素４２の中央部分４８の伸縮性が、そのサイン波形の形状により得られる（即ち、指示要素４２を形成する材料の実際の伸縮性によって得られるわけではない）ので、締め付けバンド１を同一の材料で一体に形成し、締め付けバンド１の製造コストを最小にできる。指示要素４２は、締め付けバンド１に付加されたインジケータ・リンクの形態で形成することもできる（図３）。
【００６６】
当業者は、本明細書を参照することにより、バンドを締め付け長さを調節する手段あるいはバンドのさまざまな構成要素を接続する手段のさまざまな変形例を想到することができる。本発明の範囲内で、部品の材料、形状、寸法等の要件を想到できる。
【００６７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００６８】
【図１】本発明の第１実施例による締め付けバンドの斜視図。
【図２ａ】図１に示されたバンドの第１形態の詳細断面図。
【図２ｂ】図１に示されたバンドの第２形態の詳細断面図。
【図３】本発明の第２実施例によるバンドを具備した携帯機器の部分斜視図。
【図４】本発明の第３実施例によるバンドを具備した携帯機器の部分斜視図。
【図５】バンドに、所定値に等しい引張り力がかかった状態の携帯機器の斜視図。
【図６】図４の携帯機器に搭載された引っ張り力を指示する装置を表す縦方向断面図。
【符号の説明】
【００６９】
１    締め付けバンド
２    メイン部分
３，４    端部
５    バックル
６    追加部分
７    装飾要素
８    中央部分
９    側面凹部
１０  孔
１１  表面
２０，２１  剛性端部
２２  溝
２３  対応端部
２４  フレーム
２５  中央孔
２６  プレート
２７  第１側
２８  縫い目
２９  脚
３０  第２領域
４０  携帯電子装置
４１  ケース
４２  指示要素
４３  剛性端
４４  剛性端
４５  突起部（ラグ）
４６  孔
４７  ピン
４８  中央部分
４９  貫通孔
５０  軸方向ステム
５２  表示孔
５４  固定端
５６  横方向孔
５８  第１セクション
６０  第２セクション
６２  第３セクション
６４  円筒状ボア
【図１】
2008521533.tif 000003
【図２ａ】
2008521533.tif 000004
【図２ｂ】
2008521533.tif 000005
【図３】
2008521533.tif 000006
【図４】
2008521533.tif 000007
【図５】
2008521533.tif 000008
【図６】
2008521533.tif 000009
【国際調査報告】
2008521533.tif 000010
2008521533.tif 000011
2008521533.tif 000012
2008521533.tif 000013
2008521533.tif 000014
2008521533.tif 000015